(57)【要約】【課題】トラックアジテーターのドラム内の残水の確認を低コストで容易に行うことができるアジテータ用監視装置を提供する。【解決手段】監視カメラ１２が生コン車１のコンクリート投入口からドラム内を監視可能に生コン車１から離れた位置に設置される。ライト１３が監視カメラ１２の監視方向を照射する。開放センサ１４が生コン車１の積載位置への接近を検出する。閉鎖センサ１５がコンクリートホッパー２の生コンの供給口の開閉を検出する。シャッター装置１６が監視カメラ１２のレンズを保護するためレンズの前方でシャッターを動力により開閉可能に設けられる。シャッター装置１６は、開放センサ１４が接近を検出したときシャッターを開き、閉鎖センサ１５が供給口の開放を検出したときシャッターを閉じ、供給口の閉鎖を検出したときシャッターを開く。【選択図】図１
0003218199.tif 000002
【実用新案登録請求の範囲】
【請求項１】
コンクリートホッパーからレディーミクストコンクリートを積載する積載位置に配置されたトラックアジテーターのドラム内を監視するための監視装置であって、
前記積載位置に配置された前記トラックアジテーターのコンクリート投入口からドラム内を監視可能に前記トラックアジテーターから離れた位置に設置された監視カメラと、
前記監視カメラの監視方向を照射するライトとを、
有することを特徴とするアジテータ用監視装置。
【請求項２】
前記監視カメラは遠隔操作により監視方向およびズーム倍率を操作可能であることを、特徴とする請求項１記載のアジテータ用監視装置。
【請求項３】
開放センサと閉鎖センサとシャッター装置とを有し、
前記コンクリートホッパーは動力により開閉可能なレディーミクストコンクリートの供給口を有し、
前記開放センサは前記トラックアジテーターの前記積載位置への接近を検出するよう設けられ、
前記閉鎖センサは前記供給口の開閉を検出するよう設けられ、
前記シャッター装置は前記監視カメラのレンズを保護するため前記レンズの前方でシャッターを動力により開閉可能に設けられ、前記開放センサが前記接近を検出したとき前記シャッターを開き、前記閉鎖センサが前記供給口の開放を検出したとき前記シャッターを閉じ、前記供給口の閉鎖を検出したとき前記シャッターを開く構成を有することを、
特徴とする請求項１または２記載のアジテータ用監視装置。
【考案の詳細な説明】
【技術分野】
【０００１】
本考案は、トラックアジテーターのアジテータ用監視装置に関する。
【背景技術】
【０００２】
生コンクリート工場で製造、出荷されたレディーミクストコンクリート（生コン）を運搬するために、トラックアジテーター（生コン車）が利用されている。生コン車のドラムに雨水や洗浄水が溜まった場合には、生コンを積み込む前に必ず排出することになっている。しかし、運転手が溜まり水の排出を忘れたり排出が完全でなかったりすると、生コンの品質がばらついたり不適合品になったりすることがあった。現場に配達した生コンで品質不適合がみつかった場合、工場に持ち帰って廃棄処分にしたうえ、補償が必要となり、ひいては信用失墜のおそれがある。
【０００３】
このため、生コンを積み込む前にドラム内に水が溜まっていないか目視で確認することが望ましいが、ドラムの内部を確認するのは高所作業となって危険であるうえ、暗くて見えにくく、確認に時間がかかるという問題があった。
【０００４】
従来、生コン車のドラム内の生コンの性状を監視するため、ドラムの開口部にレーザ墨出し器と撮像装置とを設け、レーザ墨出し器でドラム内へレーザ光を照射し、撮像装置でドラム内の画像を撮影するものが開示されている（例えば、特許文献１参照）。このような監視装置を利用することにより、ドラム内の残水の確認を容易にすることができる。
【先行技術文献】
【特許文献】
【０００５】
【特許文献１】特開２００９−８５２号公報
【考案の概要】
【考案が解決しようとする課題】
【０００６】
しかしながら、特許文献１の監視装置では、生コン車ごとにレーザ墨出し器と撮像装置とが設置されるため、設置コストがかさむという課題があった。
【０００７】
本考案は、このような課題に着目してなされたもので、トラックアジテーターのドラム内の残水の確認を低コストで容易に行うことができるアジテータ用監視装置を提供することを目的とする。
【課題を解決するための手段】
【０００８】
上記目的を達成するために、本考案に係るアジテータ用監視装置は、コンクリートホッパーからレディーミクストコンクリート（生コン）を積載する積載位置に配置されたトラックアジテーター（生コン車）のドラム内を監視するための監視装置であって、前記積載位置に配置された前記生コン車のコンクリート投入口からドラム内を監視可能に前記生コン車から離れた位置に設置された監視カメラと、前記監視カメラの監視方向を照射するライトとを、有することを特徴とする。
【０００９】
本考案に係るアジテータ用監視装置は、生コン車から離れた位置に設置された監視カメラにより、ライトで監視方向を照射して生コン車のドラム内を監視することができるので、生コン車ごとに監視カメラを設置するコストをかけずに、ドラム内の残水の確認を容易にすることができる。また、監視カメラにより、ドラム内の生コンの外観、性情、量目、羽根の摩滅損傷状況、羽根に付着した生コンの量などを確認することもできる。
本考案に係るアジテータ用監視装置で、前記監視カメラは遠隔操作により監視方向およびズーム倍率を操作可能であることが好ましい。監視カメラは、有線で操作するものであってもよい。
【００１０】
本考案に係るアジテータ用監視装置は、開放センサと閉鎖センサとシャッター装置とを有し、前記コンクリートホッパーは動力により開閉可能な生コンの供給口を有し、前記開放センサは前記生コン車の前記積載位置への接近を検出するよう設けられ、前記閉鎖センサは前記供給口の開閉を検出するよう設けられ、前記シャッター装置は前記監視カメラのレンズを保護するため前記レンズの前方でシャッターを動力により開閉可能に設けられ、前記開放センサが前記接近を検出したとき前記シャッターを開き、前記閉鎖センサが前記供給口の開放を検出したとき前記シャッターを閉じ、前記供給口の閉鎖を検出したとき前記シャッターを開く構成を有することが好ましい。
【００１１】
この場合、生コン車が積載位置に接近すると、開放センサによりシャッター装置のシャッターが開くので、ドラム内に水が溜まっていないか確認することができる。生コンの供給口が開放したとき、閉鎖センサによりシャッターを閉じるので、飛び散った生コンで監視カメラのレンズが汚れるのを防ぐことができる。供給口が閉鎖したとき、閉鎖センサによりシャッターを開くので、再びドラム内を監視することができる。
【考案の効果】
【００１２】
本考案によれば、トラックアジテーターのドラム内の残水の確認を低コストで容易に行うことができるアジテータ用監視装置を提供することができる。
【図面の簡単な説明】
【００１３】
【図１】本考案の実施の形態のアジテータ用監視装置を示す概略説明図である。
【考案を実施するための形態】
【００１４】
以下、図面に基づき本考案の実施の形態について説明する。
図１は、本考案の実施の形態のアジテータ用監視装置を示している。
図１に示すアジテータ用監視装置は、積載位置に配置されたトラックアジテーター（生コン車）１のドラム１ａ内を監視するための監視装置である。積載位置の生コン車１には、コンクリートホッパー２からレディーミクストコンクリート（生コン）が積載される。コンクリートホッパー２は、動力により開閉可能な生コンの供給口２ａを有している。
【００１５】
アジテータ用監視装置は、ステージ１１と監視カメラ１２とライト１３と開放センサ１４と閉鎖センサ１５とシャッター装置１６とパソコン１７とを有している。
ステージ１１は、生コンプラント施設３の支柱３ａに上下移動可能に取り付けられている。監視カメラ１２およびライト１３は、ステージ１１に取り付けられている。監視カメラ１２は、生コン車１との接触事故を防ぐため、生コン車１から離れた位置となる、供給口２ａの後方の供給口２ａよりやや高い位置にあるステージ１１に金具などで取り付けられている。プラント施設３のコンクリート床３ｂには、生コン車１が積載位置から下がりすぎないよう車止め３ｃが設けられている。
【００１６】
監視カメラ１２は、積載位置に配置された生コン車１のコンクリート投入口１ｂからドラム１ａ内を監視可能に設置されている。監視カメラ１２は、動力を備え、大型車および小型車のいずれにも対応できるよう遠隔操作により上下移動が可能で、監視方向およびズーム倍率を操作可能となっている。監視カメラ１２は、ドラム１ａの奥まで鮮明に映すことができ、録画機能を有している。
【００１７】
ライト１３は、ＬＥＤ投光器から成る。ライト１３は、監視カメラ１２の監視方向を照射するよう監視カメラ１２の近傍に金具などで設置されている。ライト１３は、ドラム１ａの奥まで照射することができるようになっている。
開放センサ１４は、生コン車１の積載位置への接近を検出するよう設けられている。閉鎖センサ１５は、供給口２ａの開閉を検出するよう供給口２ａの近傍に設けられている。
【００１８】
シャッター装置１６は、監視カメラ１２を包囲し、監視カメラ１２のレンズを保護するためレンズの前方でシャッターを動力により開閉可能に設けられている。シャッター装置１６は、開放センサ１４が生コン車１の積載位置への接近を検出したときシャッターを開き、閉鎖センサ１５が供給口２ａの開放を検出したときシャッターを閉じ、供給口２ａの閉鎖を検出したときシャッターを開くように構成されている。
パソコン１７は、ノートパソコン１７から成り、監視カメラ１２、ライト１３およびシャッター装置１６に通信システムを介して接続されている。パソコン１７は操作室に設置され、パソコン１７のモニタにより監視カメラ１２の画像を見ることができる。
【００１９】
アジテータ用監視装置は、生コン車１が積載位置に接近すると、開放センサ１４によりシャッター装置１６のシャッターが開く。生コン車１から離れた位置に設置された監視カメラ１２により、ライト１３で監視方向を照射して生コン車１のドラム１ａ内を監視する。ドラム１ａ内の映像は、パソコン１７のモニタで確認することができる。これにより、生コン車１ごとに監視カメラ１２を設置するコストをかけずに、ドラム１ａ内の残水の確認を容易にすることができる。残水を確認した場合には、運転手に残水の再排出を指示する。こうして、残水による不適合品の発生を防止することができる。
【００２０】
また、監視カメラ１２により、ドラム１ａ内の生コンの外観、性情、量目、羽根の摩滅損傷状況、羽根に付着した生コンの量などを確認することもできる。このため、ドラム１ａ内の管理が容易となり、生コンの品質のばらつきを抑えるとともに、コンクリート投入口１ｂからドラム１ａの内部を目視確認する際の高所作業を減らし、転落、転倒などの労働災害を低減することができる。目視確認が不要となることで、確認時間の短縮が可能となり、生産性を大きく向上させることができる。
【００２１】
生コンの供給口２ａが開放したとき、閉鎖センサ１５によりシャッターを閉じる。これにより、飛び散った生コンで監視カメラ１２のレンズが汚れるのを防ぐことができる。生コンを供給口２ａから生コン車１のコンクリート投入口１ｂに投入する。コンクリート投入口１ｂから投入された生コンはドラム１ａ内に積み込まれる。投入が終了し、供給口２ａが閉鎖したとき、閉鎖センサ１５によりシャッターを開く。これにより、監視カメラ１２で再びドラム１ａ内を監視することができる。ドラム１ａに積み込んだ直後の生コンの外観・性情・量目を精度よく観察することにより、最終工程の運搬で安心して出荷ができるようになる。
【符号の説明】
【００２２】
１  トラックアジテーター（生コン車）
１ａ  ドラム
１ｂ  コンクリート投入口
２  コンクリートホッパー
２ａ  供給口
３  生コンプラント施設
３ａ  支柱
３ｂ  コンクリート床
３ｃ  車止め
１１  ステージ
１２  監視カメラ
１３  ライト
１４  開放センサ
１５  閉鎖センサ
１６  シャッター装置
１７  パソコン
【図１】
0003218199.tif 000003